(57)【特許請求の範囲】
【請求項１】
ペットの排泄物を吸収可能なシート状の吸収性部材を設置面の上に直接配置し、この吸収性部材の外縁側に配置されて該吸収性部材の一部を覆うとともに中央側に開口部を有する吸収性部材のカバー部材であって、
前記吸収性部材の外縁に沿う方向に交差する方向に、前記開口部の縁を規定する内側縁から前記カバー部材の外縁を規定する外側縁までの所定の幅を有するとともに、上面に前記外側縁側から前記内側縁側に向かって下り傾斜する傾斜部が形成され、
前記外側縁から前記内側縁までの前記幅は、８０ｍｍ以上１１０ｍｍ以下であり、
前記カバー部材の最大高さは、７ｍｍ以上３０ｍｍ以下である吸収性部材のカバー部材。
【請求項２】
前記吸収性部材の前記外縁を固定可能な枠体として構成される請求項１に記載のカバー部材。
【請求項３】
前記枠体は、
前記傾斜部と、前記傾斜部の外縁から高さ方向における下方に延びる外縁側壁部と、を有し、
前記カバー部材は、
前記外縁側壁部の下端部を覆うように配置されて前記傾斜部の内縁と前記外縁側壁部の前記下端部との高さを調節する高さ調節部材をさらに備える請求項２に記載のカバー部材。
【請求項４】
前記カバー部材の底面は、
前記外側縁側に位置し前記カバー部材の設置面に当接する下面部と、
前記下面部より上に位置するよう高さ方向に窪むとともに前記内側縁側に向かって延び、前記吸収性部材の端部近傍を覆う平坦な面により形成される段差部と、を有する請求項１〜３のいずれか１項に記載のカバー部材。
【請求項５】
前記カバー部材の上面に形成され、幅方向に延びる複数の溝部を備え、
前記傾斜部は、前記溝部の底面に形成される請求項１〜４のいずれか１項に記載のカバー部材。
【請求項６】
折り曲げ又は巻くことが可能な可撓性部材で形成される請求項１〜５のいずれか１項に記載のカバー部材。
【請求項７】
前記傾斜部は、上面にエッチング、サンドブラスト又は研磨加工を施されている請求項１〜６に記載のカバー部材。
【請求項８】
請求項１〜７のいずれか１項に記載の前記カバー部材及び前記吸収性部材から構成されるペット用トイレであって、
前記吸収性部材には、前記カバー部材を配置する位置を示す目印が設けられているペット用トイレ。
【発明の詳細な説明】
【技術分野】
【０００１】
本発明は、吸収性部材のカバー部材に関する。詳細には、ペットの排泄物を吸収するシート状の吸収性部材の外縁側に配置されるカバー部材に関する。
【背景技術】
【０００２】
従来、室内で飼育するペットの排泄物を処理するため、ペットシートと呼ばれる液体を吸収可能なシート状の吸収性部材がペット用のトイレとして床等に配置されて使用されている。吸収性部材は、室内でペット用のトイレと決めた場所に配置するのみで使用できる。ここで、シート状の吸収性部材は、ペットが吸収性部材の上に乗ることで、ずれたり、めくれたりする場合がある。このため、枠体を吸収性部材の外縁側に配置して、ずれを防止することが知られている（例えば、特許文献１参照）。
【先行技術文献】
【特許文献】
【０００３】
【特許文献１】実用新案登録第３１５４９００号公報
【発明の概要】
【発明が解決しようとする課題】
【０００４】
しかしながら、特許文献１に記載の枠体は、平坦に形成されている。尿等が枠体の上に落ちた場合は、尿等はそのまま枠上に留まるため、悪臭が発生したり、ペットの動きによっては床にこぼれたりすることがあった。このため、吸収性部材のずれを防止するとともに、尿等を枠体上に残りにくくすることができるカバー部材が望まれていた。
【０００５】
本発明は、吸収性部材のずれを防止するとともに、尿を表面上に残りにくくすることのできるカバー部材を提供することを目的とする。
【課題を解決するための手段】
【０００６】
（１）  本発明の吸収性部材のカバー部材は、ペットの排泄物を吸収可能なシート状の吸収性部材の外縁側に配置されて該吸収性部材の一部を覆う吸収性部材のカバー部材であって、前記吸収性部材の外縁に沿う方向に交差する方向に所定の幅を有するとともに、上面に幅方向の外側から内側に向かって下り傾斜する傾斜部が形成される。
【０００７】
（２）  前記カバー部材の前記幅は、３０ｍｍ〜２５０ｍｍであり、最大高さが、１００ｍｍ以下であり、幅方向の長さが高さ方向の長さよりも長いことが好ましい。
【０００８】
（３）  前記吸収性部材の前記外縁を固定可能な枠体として構成されることが好ましい。
【０００９】
（４）  前記カバー部材の底面には、外縁側よりも内縁側の方が上に位置するよう高さ方向に窪む段差が形成されることが好ましい。
【００１０】
（５）  前記カバー部材の上面に形成され、幅方向に延びる複数の溝部を備え、前記傾斜部は、前記溝部の底面に形成されることが好ましい。
【００１１】
（６）  折り曲げ又は巻くことが可能な可撓性部材で形成されることが好ましい。
【００１２】
（７）  （１）〜（６）のいずれか１つに記載の前記カバー部材及び前記吸収性部材から構成されるペット用トイレであって、前記吸収性部材には、前記カバー部材を配置する位置を示す目印が設けられているペット用トイレであることが好ましい。
【発明の効果】
【００１３】
本発明によれば、吸収性部材のずれを防止するとともに、尿を表面上に残りにくくすることのできるカバー部材を提供することができる。
【図面の簡単な説明】
【００１４】
【図１】本発明の第１実施形態におけるペット用トイレの平面図である。
【図２】図１のＡ−Ａ線における断面図である。
【図３】第１実施形態におけるペット用トイレのカバー部材を吸収性部材の上に置く前の状態を示す図である。
【図４】第２実施形態におけるカバー部材の断面図である。
【図５】第３実施形態におけるカバー部材の平面図である。
【図６】図５のＢ−Ｂ線における断面図である。
【図７】第４実施形態におけるカバー部材の斜視図である。
【図８】変形例に係るカバー部材の斜視図である。
【発明を実施するための形態】
【００１５】
以下、本発明のカバー部材１及びこれを用いたペット用トイレ１００の好ましい実施形態について、図面を参照しながら説明する。
【００１６】
図１は、ペット用トイレ１００を示す平面図である。図２は、図１のＡ−Ａ線における断面図である。図３は、ペット用トイレのカバー部材を吸収性部材の上に置く前の状態を示す図である。
図１〜図３に示すように、ペット用トイレ１００は、カバー部材１と、シート状の吸収性部材としての吸収シート５から構成され、カバー部材１を吸収シート５の上に置いて用いられる。
【００１７】
カバー部材１は、図１及び図２に示すように、枠体１０及び高さ調整部２を備える。カバー部材１は、吸収シート５の上の外縁側に配置される。
【００１８】
枠体１０は、平面視で四角形の形状を有し、中央側に開口部が形成されている。枠体１０は、外縁側壁部１２と、傾斜部１１とを有する。
外縁側壁部１２は、図２に示すように、枠体１０の外側において高さ方向に起立する側壁である。
傾斜部１１は、枠体１０の上面を構成する。この傾斜部１１は、外縁における外縁側壁部１２の上端から内縁に向かって、枠体１０の上面が下り傾斜するように形成される。傾斜部１１の内縁の端部は、外縁側壁部１２の下端と同じ高さに位置するように形成されている。傾斜部１１は、枠体１０の外縁から内縁へ延びる幅Ｗを有する。
【００１９】
傾斜部１１は、ペットがペット用トイレ１００で排泄をした際に、尿が吸収シート５の外に落ちても傾斜部１１に落ちれば床を汚さないという観点から、幅Ｗが広く形成されることが好ましい。図２に示すように、傾斜部１１の幅Ｗは、例えば、尿が傾斜部１１にはみ出して落ちることを防止する観点から、３０ｍｍ以上が好ましく、５０ｍｍ以上がより好ましく、８０ｍｍ以上がさらに好ましい。また、傾斜部１１の幅Ｗは、ペット用トイレ１をコンパクトにするとともにペットが吸収シート５まで入りやすくする観点から、２５０ｍｍ以下が好ましく、２００ｍｍ以下がより好ましく、１１０ｍｍ以下がさらに好ましい。
【００２０】
傾斜部１１は、傾斜部１１を作製する際の金型に上面にエッチング、サンドブラスト、研磨加工等のいわゆるシボ加工を施すことで、表面に光沢を有さないように形成されている。
【００２１】
枠体１０は、ペットが障害物と認識しない高さに構成する観点から最大高さが１００ｍｍ以下であることが好ましく、５０ｍｍ以下であることがより好ましく、３０ｍｍ以下であることがさらに好ましい。また、枠体１０上に落ちた尿等の液体を吸収シート５へ流す観点から最大高さが３ｍｍ以上であることが好ましく、５ｍｍ以上であることがより好ましく、７ｍｍ以上であることがさらに好ましい。
【００２２】
枠体１０は、上記の観点から平たく形成され、幅方向の長さ（傾斜部１１の幅Ｗ）が高さ方向の長さよりも長く形成される。具体的には、幅方向の長さが、高さ方向の長さの１００％よりも長く、８０００％以下であることが好ましく、３００％以上１０００％以下であることがより好ましい。
【００２３】
枠体１０は、樹脂材料により射出成型されて形成される。枠体１０は、少なくとも吸収シート５の表面よりも硬く形成される。枠体１０の材料としては、例えば、ポリエチレン、ポリプロピレン、塩化ビニル、ポリスチレン、ＡＢＳ、ＡＳ、ポリエステル（ポリエチレンテレフタレート等）、ポリアミド、ポリカーボネート等の樹脂材料が挙げられる。なお、樹脂材料以外の材料で形成されてもよく、ステンレス等の各種金属を用いてもよい。また、成形方法としては、射出成型に限られず、切断加工した金属を溶着したり、切断したアクリル板を接着剤で接着して成型してもよい。
【００２４】
高さ調整部２は、枠体１０の下面に、外縁側壁部１２の下端を覆うように配置される。高さ調整部２は、例えばゴム等の弾性部材で形成されている。高さ調整部２は、外縁側壁部１２の下端に配置されることで、カバー部材１を吸収シート５の上に配置した際に、吸収シート５の厚さの分上に位置する傾斜部１１の内側縁と外縁側壁部１２の下端の位置を同じ高さに調整する。
【００２５】
吸収シート５は、平面視で四角形のシートであり、表面シート５１と、裏面シート５２と、吸収体５３とを有する。
表面シート５１は、尿等の液を透過性の部材、例えば不織布で構成される。表面シート５１は、枠体１０の開口部に直接接するように配置される。
裏面シート５２は、液不透過性の部材、例えばフィルムで構成される。
吸収体５３は、表面シート５１及び裏面シート５２の間に挟まれるように配置されている。吸収体５３は、表面シート５１及び裏面シート５２の外縁よりも内側に配置されている。吸収体５３は、液体を吸収保持可能な吸収性部材、例えばパルプや吸収ポリマーを含んで構成される。
【００２６】
なお、吸収シート５は、図３に示すように、表面シート５１における枠体１０の内縁の四隅に対応する位置に、目印５４を設けてもよい。目印５４は、表面シート５１に印刷される。これにより、吸収シート５の表面シート５１における目印５４と枠体１０の内縁の位置を合わせるようにして、吸収シート５の外縁側に、カバー部材１の枠体１０を配置することができ、枠体１０の位置が吸収シート５に対してずれることを防止できる。
【００２７】
次に、第１実施形態におけるペット用トイレ１００の使用の方法について説明する。
まず、吸収シート５を室内のペット用のトイレと決めた場所に配置する。枠体１０は、吸収シート５の一部を覆うように配置される。枠体１０は、吸収シート５の外縁に沿う方向に交差する方向に所定の幅Ｗを有しており、図２に示すように、枠体１０の内縁が吸収シート５の四辺を上から押さえることとなる。このため、吸収シート５がカバー部材１により固定される。
【００２８】
ペットの中でも特に犬は、背の高い囲いや柵等が吸収シート５の周囲に配置してあると、囲いや柵を越えて吸収シート５の上まで来ようとしない場合がある。また、犬は壁と認識したものに向かって排尿する傾向にある。このため、囲いや柵の背が高いと、犬が囲いや柵に向かって排尿をして、尿が吸収シート５の外に漏れてしまう原因となる。しかし、第１実施形態のカバー部材１は最大高さが３ｍｍ以上５０ｍｍ以下であるため、犬は抵抗なく吸収シート５の上まで排泄をしに来ることができ、カバー部材１を壁と認識しにくい。
【００２９】
ここで、犬は四足動物であるため、前足が吸収シートの上に乗っていても後足が吸収シート５の外に出てしまったり、あるいは後足は吸収シート５の内側に入ったものの、後足の近傍にある排泄部から排泄される尿が、吸収シート５からはみ出てしまうことがある。しかし、吸収シート５の外側に幅の広いカバー部材１が配置されているため、吸収シート５の上に落ちなかった尿も、カバー部材１の傾斜部１１の上面に受け止められる。そして、傾斜部１１に落ちた尿は、傾斜部１１が外縁から内縁に向かって下り傾斜しているため、吸収シート５の表面に移動して、吸収される。
【００３０】
カバー部材１は、吸収性部材や不織布で構成される吸収シート５と比べて固い素材で形成されるため、犬はカバー部材１を吸収シート５ではないと理解することができる。このため、柔らかい吸収シート５の上で排泄するように犬を躾けていると、犬にカバー部材１よりも内側の吸収シート５まで進んで排泄するように促すことができる。カバー部材１における枠体１０の傾斜部１１の上面には、シボ加工が施されており、光沢を有さないように形成されている。このため、犬は傾斜部１１の上を嫌がることなく踏んで歩き、吸収シート５のある位置まで進むことができる。
【００３１】
以上説明した第１実施形態のカバー部材１及びペット用トイレ１００によれば、以下のような作用効果を奏する。
【００３２】
（１）  ペットの排泄物を吸収可能な吸収シート５の外縁側に配置され、吸収シート５の一部を覆う吸収シートのカバー部材１を、吸収シート５の外縁に沿う方向に交差する方向に所定の幅Ｗを含んで構成するとともに、上面に幅方向の外側から内側に向かって下り傾斜する傾斜部１１を形成した。カバー部材１は所定の幅Ｗを有して吸収シート５の外側に配置されているため、吸収シート５の上に落ちずに、吸収シート５の外側にはみ出してしまった排泄物が、カバー部材１により受け止められる。このため、吸収シート５の周囲の床等を排泄物で汚しにくく、床掃除の回数を減少できる。また、ペットの尿が吸収シート５の外側に落ちた場合でも、尿は傾斜部１１を伝って吸収シート５に移動して吸収される。このため、カバー部材１の表面に尿が残りにくくなるので、悪臭が発生せず、ペット用トイレの周囲を清潔に維持することができる。
【００３３】
（２）  カバー部材１の幅Ｗを、３０ｍｍ〜２５０ｍｍにするとともに、最大高さを、１００ｍｍ以下に構成し、幅方向の長さを高さ方向の長さよりも長くした。カバー部材１の幅Ｗが広くなると、尿が吸収シート５の外に落ちた場合に尿を受け止めることのできる範囲が広くなる。したがって、カバー部材１の表面に尿が残りにくくなり、悪臭が発生せず、ペット用トイレの周囲を清潔に維持することができる。
【００３４】
（３）  カバー部材１を、吸収シート５の外縁を固定可能な枠体１０として構成した。これにより、吸収シート５の四周が枠体１０の内縁により固定されるため、より安定して吸収シート５を固定することができる。
【００３５】
（４）  吸収シート５に、カバー部材１を配置する位置を示す目印を設けた場合には、吸収シート５の上にカバー部材１を配置する際に、吸収シート５における吸収体５３が配置された部分が、カバー部材１の枠体１０の内側に収まるように確実に位置を調整することができる。
【００３６】
（５）  枠体１０の下面に、高さ調整部２を配置し、ゴム等の弾性部材で形成した。枠体１０の内縁側が吸収シート５における吸収体５３が配置されている厚い部分に接することで上方に位置しても、枠体１０の外側の位置が高さ調整部２により上方に調整されるので、カバー部材１ががたつかず、安定して設置面に設置される。また、高さ調整部２がゴム等の弾性部材で形成されているため、設置面が摩擦係数の低い面であっても滑らずに安定して設置できる。
【実施例】
【００３７】
次に実施例を示して本発明をさらに詳細に説明するが、本発明は以下の実施例に限定されるものではない。
【００３８】
＜傾斜部の適正幅試験＞
傾斜部１１の幅と、吸収シート５の外側への犬の尿のはみ出しとの関係について、以下の条件により試験をした。
試験は、傾斜部１１の幅Ｗが１３５ｍｍ、最大高さが２０ｍｍ、枠体１０の開口部の内寸が３３０ｍｍ×３３０ｍｍの枠体１０を有するカバー部材１及び縦横の寸法が５５０ｍｍ×５５０ｍｍの吸収シート５を用いて行った。
室内で犬を飼育している飼育者３７人を対象とした。飼育者としては、普段の犬の飼育において、吸収シート等の犬のトイレの周囲に尿がはみ出して漏れ出ることがあり、この尿のはみ出しが３日に１回以上発生している者を選定した。
以上の飼育者が、吸収シートの上にカバー部材を配置してペット用トイレとして使用した。そして犬がペット用トイレで排泄を行った後で、枠体の内縁からどの程度離れた位置まで尿が傾斜部にはみ出て落ちたか、尿が傾斜部に落ちた位置を計測した。試験期間は一週間とした。
【００３９】
計測された位置の値をもとに、飼育者一人を１サンプル（各飼育者のペット用トイレをｎ＝１）として、尿のはみ出し幅を集計した。結果を表１に示す。
【００４０】
【表１】
0005877887.tif 000002
【００４１】
表１における「尿のはみ出し幅」は、ペット用トイレを用いて飼育者のペット（犬）が排尿をした場合に、吸収シートの外側へ尿のはみ出しが生じた幅の寸法を示す。「尿のはみ出し幅」は、カバー部材における枠体の内縁から外側に向かって幅方向に計測される。すなわち、「尿のはみ出し幅」は、尿が吸収シートの外側の床等にはみ出さないようにするために、傾斜部の幅がどの程度必要かを意味する。
「構成比」は、飼育者が使用したペット用トイレ全体のうち、左欄の「尿のはみ出し幅」の寸法内ではみ出しが生じた率を示す。
「累計」は、尿のはみ出しが生じた場合の累計を示す。尿は吸収シートからはみ出てカバー部材の傾斜部に落ちている。したがって、「累計」の欄に記載された値は、尿が吸収シートの外側の床等に落ちることを防止できた漏れ防止率と言うことができる。
【００４２】
表１に示すように、枠体の傾斜部の幅が３０ｍｍ未満では、全体の１割以下しか尿のはみ出しを防止できない結果に対し、３０ｍｍを超えると全体の４割以上の尿のはみ出しを防止し、枠体の傾斜部の幅を５０ｍｍ以上にすることで、半数を超えるペットの尿が、尿の吸収シートからのはみ出しを全体の半数以上防止することができるとわかる。特に、傾斜部の幅を８０ｍｍ以上にすることで、尿の吸収シートからのはみ出しを全体の９割近く防止することができるとわかる。つまり、傾斜部の幅を幅広にすることで、尿のはみ出しを効果的に防止できることがわかる。
【００４３】
次に、図４を参照して第２実施形態に係るペット用トイレ１００Ａ及びカバー部材１Ａについて説明する。図４は、第２実施形態に係るペット用トイレ１００Ａの断面図である。第２実施形態以降の説明において、第１実施形態と共通する部分については、同一の符号を付し、説明を省略する。
【００４４】
第２実施形態では、枠体１０が中実の板状部材で形成され、床等のカバー部材１Ａの載置面と接する下面部１３と、下面部１３から上方に向かって窪む段差部１４と、を有する点が第１実施形態と異なる。
【００４５】
下面部１３は、枠体１０の底面における外縁側に形成される平坦な面で構成される。
段差部１４は、枠体１０の底面における内縁側に形成される。段差部１４は、下面部１３よりも高さ方向上に窪んで形成されている。段差部１４は、下面部１３よりも１ｍｍ〜１０ｍｍ程度高さ方向に窪み、枠体１０における内縁側の端部に向かって幅方向に延出する平坦な面を有する。段差部１４の窪みには、吸収シート５の端部の近傍部分が配置される。
【００４６】
第２実施形態に係るペット用トイレ１００Ａ及びカバー部材１Ａによれば、第１実施形態で奏される作用効果に加えて、次の作用効果を奏する。
（６）  カバー部材１Ａの底面に、外縁側よりも内縁側の方が上に位置するよう高さ方向に窪む段差部１４を形成した。これにより、段差部１４に吸収シート５の端部の近傍部分を配置することができ、枠体１０が中実の板状部材で形成されている場合であっても、吸収シート５の厚さの分傾くことを防止することができる。また、段差部１４における枠体１０の幅方向に延びる面により、吸収シート５を確実に押圧することができ、吸収シート５とカバー部材１Ａのずれをより確実に防止することができる。
【００４７】
次に、図５及び図６を参照して第３実施形態に係るペット用トイレ１００Ｂ及びカバー部材１Ｂについて説明する。図５は、第３実施形態に係るペット用トイレ１００Ｂの上面図である。図６は、第３実施形態に係るペット用トイレ１００Ｂの断面図である。第３実施形態では、カバー部材１Ｂが溝部１５を備える点で主に第１及び第２実施形態と異なる。
【００４８】
枠体１０は、外縁から内縁まで同じ厚さの平坦な板状部材で形成される。
溝部１５は、枠体１０の上面における内縁の端部から外縁に向かって幅方向に延びるように形成される。溝部１５は、外縁の端部までは延びておらず、傾斜部１１における外縁から内側へ離間した位置から内縁の端部まで形成されている。溝部１５は、枠体１０の四辺のそれぞれにおける長手方向に間隔をあけて形成される。溝部１５は、底面に形成される傾斜部１１Ｂを有する。具体的には、溝部１５の底面が外縁側から内縁側に向かって深くなるように傾斜している。枠体１０の上面に落ちたペットの尿のうち、溝部１５に落ちた尿は、底面に形成される傾斜部１１Ｂを伝って流れ、溝部１５の内側の端部から吸収シート５の表面に落ちる。溝部１５は枠体１０の外縁の端部までは形成されていないため、溝部１５の傾斜部１１Ｂを伝って尿が枠体１０の外側へ移動しないようになっている。
【００４９】
第３実施形態に係るペット用トイレ１００Ｂ及びカバー部材１Ｂによれば、上記の実施形態で奏される作用効果に加えて、次の作用効果を奏する。
（７）  カバー部材１Ｂの上面に形成され、幅方向に延びる複数の溝部１５を含んで構成し、傾斜部１１Ｂを、溝部１５の底面に形成した。これにより、枠体１０の上面を平坦に形成することで、枠体１０を犬が踏むときの違和感をより低減することができる一方、溝部１５の底面が傾斜しているため、溝部１５に落ちた尿を吸収シートに導くことができる。
【００５０】
次に、図７を参照して第４実施形態に係るカバー部材１Ｃについて説明する。図７は、第４実施形態に係るカバー部材１Ｃの斜視図である。図７では、高さ調整部２は省略されている。
第４実施形態では、カバー部材１Ｃが平面視で円弧状である点が上記の実施形態と異なる。第７実施形態のカバー部材１Ｃは、壁面に円弧の端部が接するように配置することができる。この場合でも、円弧の内縁側が外縁側よりも低くなるように、カバー部材１Ｃの上面が傾斜している。
【００５１】
第４実施形態に係るカバー部材１Ｃによれば、上記の実施形態で奏される作用効果に加えて、次の作用効果を奏する。
（８）壁面等に接するように配置することで、場所をとらずにカバー部材１Ｃを室内に配置することができる。
【００５２】
以上、本発明の好ましい各実施形態について説明したが、本発明は、上述した各実施形態に制限されるものではなく、適宜変更が可能である。
【００５３】
例えば、カバー部材の枠体は、折り曲げ又は巻くことが可能な可撓性部材で構成されてもよい。これにより、カバー部材を使用しない場合に小さく折り曲げ又は巻いて収納したり、ペット用トイレを移動する際に大きさを小さくすることができ、利便性が向上する。
【００５４】
また、第１及び第２実施形態では、主に四角形の枠体によりカバー部材が構成されているが、枠体は四角形に限られない、円形や、楕円形、動物の外形等、どのような形であってよい。
【００５５】
また、カバー部材は枠体を有さなくてもよい。図８に示すように、カバー部材１Ｄは平面視で長方形に形成され、吸収シート５の外縁の一部にのみ配置してもよい。ペットが排尿する度に、吸収シート５の同じような場所から尿が床にはみ出て漏れてしまう場合に、尿がはみ出やすい位置にのみカバー部材１Ｄを配置することで、尿が床に漏れることを防止できる。
【００５６】
また、上記の第１〜第４実施形態では、ペット用トイレは、吸収シートを床等の設置面の上に直接配置し、その上にカバー部材を載せて構成されているが、これに限られない。カバー部材を、吸収シートの下面に配置される底面部と、枠状に形成された上面部と、外縁側壁部とを含んで構成し、このカバー部材及びカバー部材の上面部と底面部との間に収容される吸収シートにより構成されるペット用システムトイレであってもよい。
【００５７】
また、上記の第１〜第４実施形態では、シート状の吸収性部材として、液透過性シート、吸収体、液不透過性シートにより構成される吸収シートを用いたが、これに限られない。例えば木の板のような有機繊維材料のシートやウレタンシート等も、シート状の吸収性部材に含まれる。
【符号の説明】
【００５８】
１  カバー部材
５  吸収シート（吸収性部材）
１０  枠体
１１  傾斜部
１４  段差部（段差）
１５  溝部
５４  目印
１００  ペット用トイレ
【図１】
0005877887.tif 000003
【図２】
0005877887.tif 000004
【図３】
0005877887.tif 000005
【図４】
0005877887.tif 000006
【図５】
0005877887.tif 000007
【図６】
0005877887.tif 000008
【図７】
0005877887.tif 000009
【図８】
0005877887.tif 000010